(57)【要約】【課題】  溶接をすることなく雨水等の浸入を防ぐことができる水切り枠を備えた電気機器収納箱を提供する。【解決手段】  水切り枠７を、開口部６の左右辺に沿って形成した縦枠７ａと、開口部６上辺に沿って形成した横枠７ｂとで構成し、夫々独立させて形成した。横枠７ｂは天板３から連続形成して左右の縦枠７ａの上端部を覆う幅を有し、左右に突出した端部は折り曲げて片１７を有すると共に、縦枠７ａは側板２から連続形成して側板２から縦枠７ａに至る側板側前面枠１１ａと、天板から横枠に至る天板側前面枠１１ｂとに重なり部を設け、天板側前面枠１１ｂを側板側前面枠１１ａの前側で重なるよう配置した。【選択図】  図３
2008166601.tif 000002
【特許請求の範囲】
【請求項１】
左右側板、天板、底板、及び背板の各板体により５面を閉塞して電気機器の収納空間を形成した箱本体と、当該箱本体の前面開口部を閉塞するために箱本体に蝶着した扉体とを有し、前記箱本体の開口部周縁に水切り枠を備えた電気機器収納箱において、
前記水切り枠は、開口部の左右辺に沿って設けた縦枠と、開口部上辺に沿って設けた横枠とを備えて夫々独立して形成され、前記横枠は左右に設けた前記縦枠を越える長さを有して、その端部は下方に折り曲げた折り曲げ片を備えて成ることを特徴とする電気機器収納箱。
【請求項２】
縦枠は側板から連続形成される一方、横枠は天板から連続形成され、側板から縦枠に至る側板側前面枠と、天板から横枠に至る天板側前面枠とが重なり部を有し、天板側前面枠が側板側前面枠の前側に配置される請求項１記載の電気機器収納箱。
【発明の詳細な説明】
【技術分野】
【０００１】
本発明は、電気機器や通信機器等を収納する電気機器収納箱に関し、特に屋外で使用される電気機器収納箱に関する。
【背景技術】
【０００２】
配電用の電気機器を収納したり通信機器等の電子機器を収納する電気機器収納箱は、前面を開口して内部に機器を収納するよう構成した箱本体と、開口された前面を閉塞するために箱本体に蝶着された扉板とで構成され、溶接により各面板が連結されていた。
このような収納箱のうち、屋外に設置されるものは、箱本体の開口部周縁にフランジ状に突出させた水切り枠が設けられている。そして、対向する扉板の裏面にはゴム製のパッキンが取り付けられ、扉板で閉塞した際に開口部周縁部に隙間が発生しないようにしていた（例えば、特許文献１参照）。
一方で、溶接工程が無く、ネジ止めによる組み立てを可能として設置現場での組み立てを可能として、運搬や保管のコストを削減できるようにした電気機器収納箱がある（例えば、特許文献２参照）。
【０００３】
【特許文献１】特開平９−３２１４５０号公報
【特許文献２】特開２００３−３１８５６０号公報
【発明の開示】
【発明が解決しようとする課題】
【０００４】
しかしながら、従来の開口部周縁に形成された水切り枠は、箱本体と扉体の間に雨水等が入り込んでも、電気機器を収納した内部にまで雨水等が入り込まないように、上部に設けた横枠と左右に設けた縦枠を溶接して連結されていたため、水切り枠の作製が面倒であった。
一方で、現場で組み立てるタイプの収納箱は、溶接工程を設けることなく防水性能を発揮できる水切り枠を作製することが難しく、屋外で使用するものに対して適用するこが難しかった。
【０００５】
そこで、本発明はこのような問題点に鑑み、溶接をすることなく雨水等の浸入を防ぐことができる水切り枠を備えた電気機器収納箱を提供することを目的とする。
【課題を解決するための手段】
【０００６】
上記課題を解決する為に、請求項１の発明は、左右側板、天板、底板、及び背板の各板体により５面を閉塞して電気機器の収納空間を形成した箱本体と、当該箱本体の前面開口部を閉塞するために箱本体に蝶着した扉体とを有し、前記箱本体の開口部周縁に水切り枠を備えた電気機器収納箱において、前記水切り枠は、開口部の左右辺に沿って設けた縦枠と、開口部上辺に沿って設けた横枠とを備えて夫々独立して形成され、前記横枠は左右に設けた前記縦枠を越える長さを有して、その端部は下方に折り曲げた折り曲げ片を備えて成ることを特徴とする。
この構成により、水切り枠の上部を構成する横枠が左右の縦枠上部を覆って、折り曲げ片が雨水の回り込みを防ぎ、更に縦枠と横枠との間に僅かに隙間があっても雨水等がその隙間から侵入するのを防ぐことができる。そのため、溶接作業等の接続操作をしなくても良好な水切り枠を設けることができ、水切り枠を容易に作製できる。
【０００７】
請求項２の発明は、請求項１に記載の発明において、縦枠は側板から連続形成される一方、横枠は天板から連続形成され、側板から縦枠に至る側板側前面枠と、天板から横枠に至る天板側前面枠とが重なり部を有し、天板側前面枠が側板側前面枠の前側に配置されることを特徴とする。
この構成により、天板側前面枠が側板側前面枠の前に配置されて両者が重ねられるので、天板と側板の連結部を雨水が浸入し難い構造にできる。
【発明の効果】
【０００８】
本発明によれば、水切り枠の上部を構成する横枠が左右の縦枠上部を覆うし、折り曲げ片が雨水の回り込みを防ぐし、更に縦枠と横枠との間に僅かに隙間があっても雨水等がその隙間から侵入するのを防ぐことができる。そのため、溶接作業等の接続操作をしなくても良好な水切り枠を設けることができ、水切り枠を容易に作製できる。
【発明を実施するための最良の形態】
【０００９】
以下、本発明を具体化した実施の形態を、図面に基づいて詳細に説明する。図１，図２は本発明に係る電気機器収納箱の一例を示し、図１は斜視図、図２は扉体を外した箱本体の正面図である。箱本体１は、側板２、天板３、底板４、背板５を備え、前面開口部６の周囲には水切り枠７が設けられている。そして、扉板８が箱本体１の前面の右端部に蝶着されている。
【００１０】
各板体は夫々鋼板を折り曲げて分離形成され、夫々端部には隣接する板体を連結するための連結手段が設けられている。また、箱本体１は周囲縁部から水切り枠７の形成部（開口部６）までの前面を閉塞する平坦な前面枠１１を有し、水切り枠７はこの前面枠１１を介して、側板２或いは天板３から連続形成されている。
尚、この水切り枠７は、開口部６の左右辺及び上辺に設けられ、開口部６の下辺は扉板８で閉塞した際に開口部６を閉塞する為に前方に突出させた帯状の枠辺１２のみ形成されている。
【００１１】
扉板８は箱本体１の前面を覆い、側辺８ａを周囲に有して水切り枠７を収容する奥行きを有するよう形成され、左側端部に開閉操作するためのハンドル１３を備えている。また、水切り枠７は、扉体８を閉じた際に開口部６を閉塞した際に箱本体１内への水の浸入を防ぐ為に前方に突出させた帯状の枠辺１５と、扉体８の裏面に設置されたパッキン（図示せず）に密着させて雨水の浸入を防止するための閉塞枠１６とを有し、断面Ｌ字状に形成されている。
【００１２】
図３は側板２（右側板）と天板３の連結構造を示している。この図３に示すように、側板２、天板３は、周囲４辺が直角に折り曲げられて周囲を囲む縁体１８が形成され、強度アップが図られると共に、隣接する板体との連結面が形成されている。そして、水切り枠７は左右に設けられた縦枠７ａと上部に設けられた横枠７ｂとが独立して形成され、縦枠７ａは側板２と一体に形成され、横枠７ｂは天板３と一体に形成されている。
【００１３】
天板３は、前面側に水切り枠７の上部を覆う庇部１９が連続形成され、下側に折り返して庇部１９を２重に形成し、更に下方に折り曲げて前面枠１１の一部を成す上部前面枠１１ｂと横枠７ｂが形成されている。また、上部前面枠１１ｂは、上端が天板３の幅と略等しく形成され、下部は横枠７ｂにかけて窄み形成されているし、天板３の左右の縁体１８には側板２と連結するための爪片２０が突設され、連結手段の一方が形成されている。更に、この横枠７ｂのうち略水平な底面を構成する枠辺１５は、左右端部に突出部を有し、下方に折り曲げた折り曲げ片１７が形成されている。
【００１４】
一方、側板２の前面側には前面枠１１の一部を成す側部前面枠１１ａと縦枠７ａが折り曲げ形成されている。側部前面枠１１ａは側板２と同一の幅（高さ）を有し、縦枠７ａまで平坦な長方形で形成され、縦枠７ａは横枠７ｂの下部に配置されるよう形成されている。また、側板２上面の縁体１８には天板３に設けられた爪片２０を挿入にて連結するためのスリット状の挿入孔２１が形成され、連結手段の他方が形成されている。
【００１５】
このように形成された側板２と天板３は互いの連結手段を係合させて連結される。即ち、爪片２０が挿入孔２１に挿入され、挿入された爪片２０は折り曲げられる。そして、重ね合わせられた前面枠１１の４隅は裏面にＬ字状の補強金具２３が組み付けられ、前面側からネジ止めされる。
尚、箱本体１を構成する他の背板２、底板４も同様に周囲に縁体が形成されているし、互いに隣接するための爪片或いは挿入孔を備えている。
【００１６】
図４は、図２のＡ部の拡大図を示し、水切り枠７の縦枠７ａと横枠７ｂの連結部を示している。この図４に示すように、横枠１１ｂは縦枠１１ａの上端の位置に対して幅Ｔだけ突出させて長く形成され、縦枠１１ａは横枠１１ｂの下面に当接するか、僅かに隙間を有するよう配置されている。また、ハッチング部は上部前面枠１１ｂと側部前面枠１１ａの重なり部Ｂを示している。天板３から形成された上部前面枠１１ｂは側板２から形成された側部前面枠１１ａの前方に配置されて重ね合わせられ、下端部が幅Ｔの重なり部Ｂを有し、上部に向けて更に広い重なり部Ｂが形成されている。
尚、横枠１１ｂの端部突出量（幅Ｔ）は、雨水の浸入を防止するのに加えて重なり部Ｂの幅と関係するため、少なくとも１０ｍｍ程度設けることが好ましく、十分な重なり部Ｂの形成が可能となる。また、折り曲げ片１７は５ｍｍ程度の長さとするとで、十分な隙間の閉塞作用を奏することができる。
【００１７】
このように、水切り枠の上部を構成する横枠が左右の縦枠上部を覆って、折り曲げ片が雨水の回り込みを防ぎ、更に縦枠と横枠との間に僅かに隙間があっても雨水等がその隙間から侵入するのを防ぐことができる。そのため、溶接作業等の接続操作をしなくても良好な水切り枠を設けることができ、水切り枠を容易に作製できる。
また、天板側前面枠を側板側前面枠の前に配置して重ねることで、固着操作しなくても防水性能を維持することが可能となる。
更に、水切り枠の作製に溶接工程がないので、収納箱全体の溶接工程を無くして作製することが可能となり、屋外で設置する収納箱であっても設置する現場まで分解した状態で持ち込む事が可能となり、作業者の負担を軽減できる。
【００１８】
尚、上記実施形態では、水切り枠７の横枠７ｂを左右に直線状に形成しているが、中央付近から左右に僅かに下り傾斜を設けて形成しても良い。また、横枠７ｂの左右端部に設けられた折り曲げ片１７は下方に垂下するよう折り曲げなくても良く傾斜させる程度でも良い。
【図面の簡単な説明】
【００１９】
【図１】本発明に係る電気機器収納箱の実施形態の一例を示し、扉板を開けた状態の斜視図である。
【図２】図１の正面図であり、扉板を外した状態を示している。
【図３】側板と天板の連結構造を示す要部斜視図であり、（ａ）は連結前、（ｂ）は連結後を示している。
【図４】図２のＡ部拡大図である。
【符号の説明】
【００２０】
１・・箱本体、２・・側板、３・・天板、４・底板、５・・背板、６・・開口部、７・・水切り枠、７ａ・・縦枠、７ｂ・・横枠、８・・扉板、１７・・折り曲げ片。
【図１】
2008166601.tif 000003
【図２】
2008166601.tif 000004
【図３】
2008166601.tif 000005
【図４】
2008166601.tif 000006